(57)【要約】【課題】特定の機器やサービスを利用しなくても、視聴中のコンテンツを特定可能なメタ情報を提供する。【解決手段】コンテンツ表示端末の表示画面に表示されているコンテンツに関する基本情報を取得する基本情報取得ステップ（Ｓ８０４）と、前記取得されたコンテンツに関する基本情報に基づき前記コンテンツを特定可能なメタ情報を生成するメタ情報生成ステップ（Ｓ８１０）と、前記生成されたメタ情報を前記コンテンツ表示端末の表示画面に表示又はネットワークを介してユーザの機器に送信するメタ情報開示ステップ（Ｓ８１２）と、を含む情報提供方法が提供される。【選択図】図６
2011234198.tif 000002
【特許請求の範囲】
【請求項１】
コンテンツ表示端末の表示画面に表示されているコンテンツに関する基本情報を取得する基本情報取得ステップと、
前記取得されたコンテンツに関する基本情報に基づき前記コンテンツを特定可能なメタ情報を生成するメタ情報生成ステップと、
前記生成されたメタ情報を前記コンテンツ表示端末の表示画面に表示又はネットワークを介してユーザの機器に送信するメタ情報開示ステップと、を含む情報提供方法。
【請求項２】
前記生成されたメタ情報は、前記表示されているコンテンツを特定するためのコンテンツ特定情報が含まれるタグである請求項１に記載の情報提供方法。
【請求項３】
前記生成されたメタ情報は、前記表示されているコンテンツを特定するためのコンテンツ特定情報が含まれるタグをコード化したものである請求項１に記載の情報提供方法。
【請求項４】
前記タグには、前記表示されているコンテンツに関する時間情報が含まれる請求項２又は３に記載の情報提供方法。
【請求項５】
ネットワークを介してコンテンツに関する詳細情報を取得する詳細情報取得ステップを更に含み、
前記メタ情報生成ステップは、前記取得されたコンテンツに関する基本情報と詳細情報とに基づき前記コンテンツを特定可能なメタ情報を生成する請求項１〜４のいずれか一項に記載の情報提供方法。
【請求項６】
前記メタ情報開示ステップは、所定時間毎に前記生成されたメタ情報を前記ユーザの機器に再送信する請求項１〜５のいずれか一項に記載の情報提供方法。
【請求項７】
前記コンテンツ表示端末の表示画面に表示又はネットワークを介してユーザの機器に送信されたメタ情報を取得するメタ情報取得ステップと、
前記表示されているコンテンツに関するコメントを入力する入力ステップと、
前記取得されたメタ情報を前記入力されたコメントとともに送信するコメント送信ステップと、を更に含む請求項１〜６のいずれか一項に記載の情報提供方法。
【請求項８】
前記送信されたメタ情報及びコメントに基づきメタ情報毎にコメント数を集計する集計ステップを更に含む請求項７に記載の情報提供方法。
【請求項９】
前記集計されたメタ情報毎のコメント数と過去に集計されたメタ情報毎のコメント数とを比較し、比較の結果に応じたコメントとともに前記メタ情報を前記コンテンツ表示端末の表示画面に表示又はネットワークを介して送信する集計結果通知ステップを更に含む請求項８に記載の情報提供方法。
【請求項１０】
表示画面に表示されているコンテンツに関する基本情報を取得する基本情報取得部と、
前記取得されたコンテンツに関する基本情報に基づき前記コンテンツを特定可能なメタ情報を生成するメタ情報生成部と、
前記生成されたメタ情報を前記表示画面に表示又はネットワークを介して送信するメタ情報開示部と、を備えたコンテンツ表示端末。
【請求項１１】
表示画面に表示されているコンテンツに関する基本情報に基づき生成された情報であって前記コンテンツを特定可能なメタ情報を取得するメタ情報取得部と、
前記表示されているコンテンツに関するコメントを入力する入力部と、
前記取得されたメタ情報を前記入力されたコメントとともに出力する出力部と、を備えた携帯端末。
【請求項１２】
表示画面に表示されているコンテンツに関する基本情報に基づき生成された情報であって前記コンテンツを特定可能なメタ情報と、表示画面に表示されているコンテンツに関するコメントとを受信する通信部と、
前記受信したメタ情報及びコメントに基づきコメント数をメタ情報毎に分類して集計する集計部と、を備えたサーバ装置。
【請求項１３】
表示画面に表示されているコンテンツに関する基本情報を取得する基本情報取得部と、
前記取得されたコンテンツに関する基本情報に基づき前記コンテンツを特定可能なメタ情報を生成するメタ情報生成部と、
前記生成されたメタ情報を前記表示画面に表示又はネットワークを介して送信するメタ情報開示部と、を有するコンテンツ表示端末と、
前記コンテンツ表示端末の表示画面に表示又は前記コンテンツ表示端末から送信されたメタ情報を取得するメタ情報取得部と、
前記表示されているコンテンツに関するコメントを入力する入力部と、
前記取得されたメタ情報を前記入力されたコメントとともに出力する出力部と、を有する携帯端末と、
前記携帯端末から送信されたメタ情報とコメントとを受信する通信部と、
前記受信したメタ情報及びコメントに基づきコメント数をメタ情報毎に分類して集計する集計部と、を有するサーバ装置と、を備えた情報提供システム。
【請求項１４】
表示画面に表示されているコンテンツに関する基本情報を取得する処理と、
前記取得されたコンテンツに関する基本情報に基づき前記コンテンツを特定可能なメタ情報を生成する処理と、
前記生成されたメタ情報を前記表示画面に表示又はネットワークを介してユーザの機器に送信する処理と、
前記表示画面に表示又はネットワークを介してユーザの機器に送信されたメタ情報を取得する処理と、
前記表示されているコンテンツに関するコメントを入力する処理と、
前記取得されたメタ情報を前記入力されたコメントとともにサーバ装置に送信する処理と、
前記サーバ装置に送信されたメタ情報とコメントとを受信する処理と、
前記受信したメタ情報とコメントとに基づきコメント数をメタ情報毎に分類して集計する処理と、をコンピュータに実行させるためのプログラム。
【発明の詳細な説明】
【技術分野】
【０００１】
本発明は、情報提供方法、コンテンツ表示端末、携帯端末、サーバ装置、情報提供システム及びプログラムに関する。特に、特定の機器やサービスを利用せずにコンテンツに関する情報を提供する情報提供方法、コンテンツ表示端末、携帯端末、サーバ装置、情報提供システム及びプログラムに関する。
【背景技術】
【０００２】
従来から、ユーザが視聴している特定の番組の内容についてコメントすることが可能な電子掲示板が提供されている。たとえば、特許文献１では、コメント可能番組リストを携帯電話に送信し、さらにコメント入力用画面を送信し、コメントを受信してコメントリストに登録する技術が開示されている。
【０００３】
また、ＴＶ番組等のコンテンツを視聴中、遠隔地にいるユーザ同士がコンテンツ内容についてコミュニケーションを取ろうとした場合、ＴＶ番組名を入力した上でチャット等が行われている。
【０００４】
さらに、最近では、テレビ局別の「つぶやき」を集計するサービスが提案されている。つぶやきには、テレビ局を特定するタグを付けておき、そのタグとつぶやいた時間により、番組を特定している。
【先行技術文献】
【特許文献】
【０００５】
【特許文献１】特開２００５−３３２１９８号公報
【発明の概要】
【発明が解決しようとする課題】
【０００６】
コメントを電子掲示板に投稿した場合、特定の番組についてコメントしていることが明示的にわかるため、その番組に対する意見やコメントを集めやすい。しかしながら、コメントは、特定の番組に対する電子掲示板に投稿され、特定のサービスに特化してしまうので汎用性に乏しいという問題があった。
【０００７】
また、チャットの場合、特定の番組に対してコミュニケーションしていることをユーザが判断するために、番組名を正確に入力し、チャット仲間に伝える必要があった。また、もし同じ番組に対して異なる番組名が入力された場合には、それらを同定する仕組みが必要であった。
【０００８】
また、テレビ局別のつぶやきでは、つぶやきと番組名とを正確に紐づけるのは難しく、特に録画番組を視聴中にはつぶやきと番組との関連がなくなってしまうという問題があった。
【０００９】
上記課題に対して、本発明の目的とするところは、特定の機器やサービスを利用しなくても、視聴中のコンテンツを特定可能なメタ情報を提供することが可能な、新規かつ改良された情報提供方法、コンテンツ表示端末、携帯端末、サーバ装置、情報提供システム及びプログラムを提供することにある。
【課題を解決するための手段】
【００１０】
上記課題を解決するために、本発明のある観点によれば、コンテンツ表示端末の表示画面に表示されているコンテンツに関する基本情報を取得する基本情報取得ステップと、前記取得されたコンテンツに関する基本情報に基づき前記コンテンツを特定可能なメタ情報を生成するメタ情報生成ステップと、前記生成されたメタ情報を前記コンテンツ表示端末の表示画面に表示又はネットワークを介してユーザの機器に送信するメタ情報開示ステップと、を含む情報提供方法が提供される。
【００１１】
かかる構成によれば、コンテンツに関する基本情報に基づき、コンテンツを特定可能なメタ情報が生成される。生成されたメタ情報は、コンテンツ表示端末の画面に表示されるか、又はネットワークを介してユーザの機器に送信される。よって、コンテンツを視聴しているユーザは、該コンテンツに関するコメントを送信する際、画面に表示されているメタ情報や受信したメタ情報をコメントとともに送ることにより、メタ情報に基づきコメントしている対象のコンテンツを容易に特定することができる。また、かかる構成によれば、特定の機器やサービスを利用しなくても、視聴中のコンテンツを特定可能なメタ情報を容易に提供することができるため、同じコンテンツに対して異なるメタ情報がつけられることを回避でき、煩雑でなく、それらを同定する仕組みも不要である。
【００１２】
前記生成されたメタ情報は、前記表示されているコンテンツを特定するためのコンテンツ特定情報が含まれるタグであってもよい。
【００１３】
前記生成されたメタ情報は、前記表示されているコンテンツを特定するためのコンテンツ特定情報が含まれるタグをコード化したものであってもよい。
【００１４】
前記タグには、前記表示されているコンテンツに関する時間情報が含まれていてもよい。
【００１５】
ネットワークを介してコンテンツに関する詳細情報を取得する詳細情報取得ステップを更に含み、前記メタ情報生成ステップは、前記取得されたコンテンツに関する基本情報と詳細情報とに基づき前記コンテンツを特定可能なメタ情報を生成してもよい。
【００１６】
前記メタ情報開示ステップは、所定時間毎に前記生成されたメタ情報を前記ユーザの機器に再送信してもよい。
【００１７】
前記コンテンツ表示端末の表示画面に表示又はネットワークを介してユーザの機器に送信されたメタ情報を取得するメタ情報取得ステップと、前記表示されているコンテンツに関するコメントを入力する入力ステップと、前記取得されたメタ情報を前記入力されたコメントとともに送信するコメント送信ステップと、を更に含んでいてもよい。
【００１８】
前記送信されたメタ情報及びコメントに基づきメタ情報毎にコメント数を集計する集計ステップを更に含んでいてもよい。
【００１９】
前記集計されたメタ情報毎のコメント数と過去に集計されたメタ情報毎のコメント数とを比較し、比較の結果に応じたコメントとともに前記メタ情報を前記コンテンツ表示端末の表示画面に表示又はネットワークを介して送信する集計結果通知ステップを更に含んでいてもよい。
【００２０】
また、上記課題を解決するために、本発明の別の観点によれば、表示画面に表示されているコンテンツに関する基本情報を取得する基本情報取得部と、前記取得されたコンテンツに関する基本情報に基づき前記コンテンツを特定可能なメタ情報を生成するメタ情報生成部と、前記生成されたメタ情報を前記表示画面に表示又はネットワークを介してユーザの機器に送信するメタ情報開示部と、を備えたコンテンツ表示端末が提供される。
【００２１】
また、上記課題を解決するために、本発明の別の観点によれば、表示画面に表示されているコンテンツに関する基本情報に基づき生成された情報であって前記コンテンツを特定可能なメタ情報を取得するメタ情報取得部と、前記表示されているコンテンツに関するコメントを入力する入力部と、前記取得されたメタ情報を前記入力されたコメントとともに出力する出力部と、を備えた携帯端末が提供される。
【００２２】
また、上記課題を解決するために、本発明の別の観点によれば、表示画面に表示されているコンテンツに関する基本情報に基づき生成された情報であって前記コンテンツを特定可能なメタ情報と、表示画面に表示されているコンテンツに関するコメントとを受信する通信部と、前記受信したメタ情報及びコメントに基づきコメント数をメタ情報毎に分類して集計する集計部と、を備えたサーバ装置が提供される。
【００２３】
また、上記課題を解決するために、本発明の別の観点によれば、表示画面に表示されているコンテンツに関する基本情報を取得する基本情報取得部と、前記取得されたコンテンツに関する基本情報に基づき前記コンテンツを特定可能なメタ情報を生成するメタ情報生成部と、前記生成されたメタ情報を前記表示画面に表示又はネットワークを介して送信するメタ情報開示部と、を有するコンテンツ表示端末と、前記コンテンツ表示端末の表示画面に表示又は前記コンテンツ表示端末から送信されたメタ情報を取得するメタ情報取得部と、前記表示されているコンテンツに関するコメントを入力する入力部と、前記取得されたメタ情報を前記入力されたコメントとともに出力する出力部と、を有する携帯端末と、前記携帯端末から送信されたメタ情報とコメントとを受信する通信部と、前記受信したメタ情報及びコメントに基づきコメント数をメタ情報毎に分類して集計する集計部と、を有するサーバ装置と、を備えた情報提供システムが提供される。
【００２４】
また、上記課題を解決するために、本発明の別の観点によれば、表示画面に表示されているコンテンツに関する基本情報を取得する処理と、前記取得されたコンテンツに関する基本情報に基づき前記コンテンツを特定可能なメタ情報を生成する処理と、前記生成されたメタ情報を前記表示画面に表示又はネットワークを介してユーザの機器に送信する処理と、前記表示画面に表示又はネットワークを介してユーザの機器に送信されたメタ情報を取得する処理と、前記表示されているコンテンツに関するコメントを入力する処理と、前記取得されたメタ情報を前記入力されたコメントとともにサーバ装置に送信する処理と、前記サーバ装置に送信されたメタ情報とコメントとを受信する処理と、前記受信したメタ情報とコメントとに基づきコメント数をメタ情報毎に分類して集計する処理と、をコンピュータに実行させるためのプログラムが提供される。
【発明の効果】
【００２５】
以上説明したように本発明によれば、特定の機器やサービスを利用しなくても、視聴中のコンテンツを特定可能なメタ情報を提供することができる。
【図面の簡単な説明】
【００２６】
【図１】本発明の一実施形態に係る情報提供システムの全体構成図である。
【図２】同実施形態に係る情報提供システムの全体構成図の変形例である。
【図３】同実施形態に係るコンテンツ表示端末（ＴＶ）の内部構成図である。
【図４】同実施形態に係る携帯端末の内部構成図である。
【図５】同実施形態に係るサーバ装置の内部構成図である。
【図６】同実施形態に係る情報提供システムの動作を示したフローチャート(無線通信あり)である。
【図７】同実施形態に係る情報提供システムの動作を示したフローチャート(無線通信なし)である。
【図８】同実施形態に係るコンテンツ表示端末（ＴＶ）の動作を示したフローチャートである。
【図９】同実施形態に係るタグの生成動作を示したフローチャートである。
【図１０】同実施形態に係るタグの画面表示例である。
【図１１】同実施形態に係るタグの配信動作を示したフローチャートである。
【図１２】同実施形態に係る携帯端末のフローチャートである。
【図１３】同実施形態に係る携帯端末の入力動作を示したフローチャートである。
【図１４】同実施形態に係るサーバ装置のフローチャートである。
【図１５】同実施形態に係るタグ毎のコメント数の集計結果を格納したデータベースの一例である。
【図１６】同実施形態に係るタグ毎のコメントを格納したデータベースの他の例である。
【図１７】コメント数の増減を示した一例である。
【図１８】同実施形態に係る集計結果通知の画面表示例である。
【発明を実施するための形態】
【００２７】
以下に添付図面を参照しながら、本発明の実施形態について詳細に説明する。なお、本明細書及び図面において、実質的に同一の機能構成を有する構成要素については、同一の符号を付することにより重複説明を省略する。
【００２８】
なお、本実施形態は次の順序で説明される。
［情報提供システムの全体構成］
［コンテンツ表示端末（ＴＶ）の機能構成］
［携帯端末の機能構成機能］
［サーバ装置の機能構成］
［情報提供システムの動作(無線通信あり)］
［情報提供システムの動作(無線通信なし)］
［コンテンツ表示端末（ＴＶ）の動作］
（タグの生成例）
（タグの表示例）
（タグの配信例）
［携帯端末の動作］
（コメント及びタグの入力例）
［サーバ装置の動作］
（集計結果表示例）
（時間情報の付加）
【００２９】
［情報提供システムの全体構成］
本発明の一実施形態に係る情報提供システムの全体構成について図１を参照しながら説明する。近年、ＴＶを見ながら携帯端末を使ってコメントを発信する行動が増えている。本実施形態に係る情報提供システム１０は、特定の機器やサービスを利用しなくても、ユーザが現在視聴中のコンテンツに関するコメントを発信したり、ユーザの視聴状況を集計したりすることができる。つまり、本実施形態に係る情報提供システム１０では、番組のＩＤやコンテンツを一意に示すメタ情報を発信するので、特定の機器やサービスを利用しなくても、例えば、メールやウエブサイトでもそのメタ情報を使うことができる。
【００３０】
本実施形態に係る情報提供システム１０は、ＴＶ１００と携帯端末２００とサーバ装置３００とを有する。図１では、ユーザＡがＴＶ１００を視聴しながら携帯端末２００を使ってコメントを投稿しようとする状況である。本実施形態に係る情報提供システム１０では、ＴＶ１００から発信されたコンテンツのメタ情報を携帯端末２００側で受け取る。ユーザは、ＴＶ１００で放送中の番組に対するコメントを入力してメタ情報とともに、ネットワーク４００を介してサーバ装置３００に投稿する。
【００３１】
ＴＶ１００はコンテンツ表示端末の一例であり、コンテンツ表示端末は、必ずしもこれに限らずレコーダ等であってもよい。再生コンテンツ表示端末は、無線通信機能が付加されたネットワーク接続型端末でもそれ以外の端末(無線通信機能なし)でもよい。例えばＴＶ１００自体がインターネット端末としての機能を有していれば、ＴＶ１００と携帯端末２００とが一体となった構成とすることもできる。携帯端末２００は、ＰＣ、携帯電話、携帯ゲーム機器等、様々な機器を用いることができる。
【００３２】
ＴＶ１００は、現在視聴しているＴＶ番組のメタ情報を配信する。ＴＶ番組はコンテンツの一例であり、コンテンツには、レコーダに記録されているものや、放送中又は放送されたもの、動画配信番組などどんなコンテンツも含まれる。よって、本実施形態は、リアルタイムに放映されているコンテンツだけでなく、録画されたコンテンツに対しても適用できる。
【００３３】
携帯端末２００は、ＴＶ１００から配信されたメタ情報を利用して番組に関するコメントを投稿することにより、番組に対するユーザの関心に基づいてユーザ同士でコミュニケーションが行える方法を提供する。サーバ装置３００は、メタ情報毎に番組に対するユーザの関心度を集計して、集計結果に基づきユーザに人気コンテンツを推薦する等の利用方法を提供する。
【００３４】
なお、サーバ装置３００は、ネットワーク４００に接続される携帯端末２００を所有する複数のユーザが利用する可能性がある。図２に示した情報提供システム１０は、図１に示した情報提供システム１０の変形例である。図２では、２人のユーザＡａ、Ａｂの携帯端末２００ａ、２００ｂがサーバ装置３００に同時にアクセスしている様子を模式化したものである。情報提供システム１０では、サーバ装置３００に接続する携帯端末２００ａ、２００ｂは２つに限らない。また、ＴＶ１００ａ、１００ｂが携帯端末２００ａ、２００ｂを介さずにサーバ装置３００に直接接続される形態となる可能性も考えられる。
【００３５】
以下では、各装置の構成及び動作について順に説明する。なお、以下では、メタ情報としてＴＶ番組情報を例に挙げて説明する。しかしながら、メタ情報は、コンテンツを特定可能な情報であればよい。メタ情報の生成方法については後述する。
【００３６】
［コンテンツ表示端末（ＴＶ）の機能構成］
コンテンツ表示装置としてのＴＶ１００の内部構成について、図３の機能ブロック図を参照しながら説明する。ＴＶ１００は、通信部１０２、基本情報取得部１０４、出力部１０６、メタ情報生成部１０８、メタ情報表示部１１０、メタ情報通知部１１２及び制御部１１４を有する。
【００３７】
通信部１０２には、Ｗｉ−Ｆｉ(登録商標)やＺｉｇＢｅｅ(登録商標)、Ｂｌｕｅｔｏｏｔｈ(登録商標) 等の無線ネットワークインタフェースを内蔵している。基本情報取得部１０４は、ＴＶ１００の表示画面に表示されているコンテンツに関する基本情報を取得する。
【００３８】
出力部１０６は、ディスプレイに番組を表示する。メタ情報生成部１０８は、番組に関する情報からメタ情報を生成する。メタ情報は、コンテンツを特定可能な情報であって、本実施形態ではＴＶ番組を特定する情報である。一例としては、ＴＶ番組に関する情報にアクセスするためのアドレスとして、「ｈｔｔｐ：／／ｗｗｗ．ＳＳＳｔｖ．ｃｏｍ／ｑｕｉｚ＿ｓｈｏｗ」が入力された場合、「＃ＳＳＳｔｖ−ｑｕｉｚ＿ｓｈｏｗ」がメタ情報として出力される。「ＳＳＳｔｖ」がテレビ局を示し、「ｑｕｉｚ＿ｓｈｏｗ」がクイズ番組を示す。このようにして、メタ情報により、ＴＶ番組を特定することができる。
【００３９】
メタ情報表示部１１０は、生成されたメタ情報を出力部１０６のディスプレイに表示する。メタ情報通知部１１２は、通信部１０２を通して携帯端末２００にメタ情報を発信する。制御部１１４は、すべてのブロックの制御をする。なお、メタ情報表示部１１０とメタ情報通信部１１２とはメタ情報開示部(図示せず)に含まれる機能である。
【００４０】
［携帯端末の機能構成］
次に、携帯端末２００の内部構成について、図４の機能ブロック図を参照しながら説明する。携帯端末２００は、通信部２０２、メタ情報取得部２０４、入力部２０６、出力部２０８及び制御部２１０を有する。
【００４１】
通信部２０２は、ネットワーク４００を介してデータ通信を行う。通信部２０２は、ＴＶ１００と通信可能なデバイスを有し、Ｗｉ−Ｆｉ（登録商標）、ＺｉｇＢｅｅ（登録商標）、Ｂｌｕｅｔｏｏｔｈ（登録商標）等の無線ネットワークインタフェースを内蔵している。
【００４２】
メタ情報取得部２０４は、メタ情報を解析し、取得する。メタ情報取得部２０４は、通信部２０２が受信したメタ情報をアプリケーションが理解できる形に変換する部分である。例えば、メタ情報取得部２０４は、先ほど説明したタグ生成の逆変換に類似した処理を行い、ユーザが、タグによって特定されたＴＶ番組を理解できる情報に変換する。
【００４３】
入力部２０６には、キーボードやタッチパネルが設けられている。入力部２０６は、ユーザの入力操作に応じて、表示されているＴＶ番組に関するコメントを入力する。出力部２０８には、ディスプレイやスピーカが設けられている。出力部２０８は、入力されたコメントをメタ情報とともにサーバ装置３００に出力する。
【００４４】
アプリケーションは、メタ情報を利用してユーザ同士がコミュニケーションを行うために使われるプログラム群である。アプリケーション例としては、メタ情報に基づきＴＶ番組に関するコメントをサーバ装置３００に投稿する機能が想定できる。制御部は、これらすべてのモジュールの制御を行う。
【００４５】
［サーバ装置の機能構成］
次に、サーバ装置３００の内部構成について、図５の機能ブロック図を参照しながら説明する。サーバ装置３００は、通信部３０２、集計部３０４、比較部３０６、集計結果通知部３０８、制御部３１０及びデータベース３１２を有する。
【００４６】
通信部３０２は、携帯端末２００から送信されたメタ情報とコンテンツに関するコメントとを受信する。
【００４７】
集計部３０４は、送信されたメタ情報とコメントとに基づきメタ情報毎にコメント数を集計する。集計結果は、データベース３１２に格納される（図１５参照）。データベース３１２は、サーバ装置３００の内部に設けられていても外部に設けられていてもよい。
【００４８】
比較部３０６は、集計されたメタ情報毎のコメント数と過去に集計されたメタ情報毎のコメント数とを比較する。
【００４９】
集計結果通知部３０８は、比較の結果に応じて生成されたユーザ宛のコメントとともにメタ情報をＴＶ１００の表示画面に表示又はネットワークを介して送信する。制御部３１０は、すべてのブロックの制御をする。
【００５０】
なお、上記各装置の各部への指令は、専用の制御デバイスあるいはプログラムを実行するＣＰＵ（図示せず）により実行される。すなわち、各装置の動作を実行するためのプログラムは、予めＲＯＭや不揮発性メモリ等（ともに図示せず）の記憶領域に記憶されていて、ＣＰＵが、これらのメモリから各プログラムを読み出して実行することにより、各部の機能が実現される。
【００５１】
［情報提供システムの動作(無線通信あり)］
次に、図６のフローチャートを参照しながら、無線通信ありの場合の本実施形態に係る情報提供システム全体の動作について説明する。コンテンツ表示端末（ここではＴＶ１００）が、コンテンツ（ここではＴＶ番組）の表示を開始する（Ｓ１０２）と、ＴＶ１００は、表示を開始したＴＶ番組を特定可能なメタ情報を生成する（Ｓ１０４）。メタ情報は、携帯端末２００に送信される。
【００５２】
携帯端末２００は、メタ情報を受信する（Ｓ２０２）。ＴＶ番組を視聴しているユーザは、携帯端末２００からＴＶ番組に関するコメントを入力し（Ｓ２０４）、投稿する。投稿は、コメントにＴＶ番組を特定可能なメタ情報を付加して行われる。
【００５３】
サーバ装置３００は、受信したコメントを集計して（Ｓ３０２）、コメント数を携帯端末２００やＴＶ１００に通知する（Ｓ３０４）。この通知は、例えばコメント数が増加している特定のＴＶ番組に対する視聴推薦等である。
【００５４】
［情報提供システムの動作(無線通信なし)］
次に、図７のフローチャートを参照しながら、無線通信なしの場合の本実施形態に係る情報提供システムの動作について説明する。ＴＶ１００が、コンテンツ（ここではＴＶ番組）の表示を開始する（Ｓ１０２）と、ＴＶ１００は、表示を開始したＴＶ番組を特定可能なメタ情報を生成する（Ｓ１０４）。メタ情報は、ＴＶ１００の画面に表示される（Ｓ１０６）。
【００５５】
携帯端末２００は、ＴＶ１００の画面に表示されたメタ情報をカメラ等で取り込むことにより認識する（Ｓ２０６）。ＴＶ番組を視聴しているユーザは、携帯端末２００からＴＶ番組に関するコメントを入力し、投稿する。投稿は、コメントにＴＶ番組を特定可能なメタ情報を付加して行われる。
【００５６】
サーバ装置３００は、コメントを集計して（Ｓ３０２）、コメント数を携帯端末２００やＴＶ１００に通知する（Ｓ３０４）。
【００５７】
［コンテンツ表示端末（ＴＶ）の動作］
次に、ＴＶ１００の動作の詳細について、図８のフローチャートを参照しながら説明する。ＴＶ１００は、現在視聴しているＴＶ番組のメタ情報を配信する。
【００５８】
ユーザがＴＶ番組の視聴を開始すると（Ｓ８０２）、基本情報取得部１０４は、電子番組表（例えば、ＥＰＣ：Ｅｌｅｃｔｒｏｎｉｃ  Ｐｒｏｇｒａｍ  Ｇｕｉｄｅ）から番組基本情報を取得する（Ｓ８０４：基本情報取得ステップ）。番組基本情報には、番組名、放送チャンネル、放送時間、出演者等が含まれる。番組基本情報は、コンテンツに関する基本情報の一例である。
【００５９】
次に、制御部１１４は、ＴＶ１００がネットワーク４００に接続されているかを判定し（Ｓ８０６）、接続されていない場合には直ちにＳ８１０に進む。ＴＶ１００がネットワーク４００に接続されていれば、予め指定されたコンテンツ情報提供サイトから番組詳細情報を取得する（Ｓ８０８：詳細情報取得ステップ）。コンテンツ情報提供サイトには、たとえば、テレビ局の番組公式ページのサイトのアドレスや出演者サイトのアドレス等が含まれる。
【００６０】
Ｓ８１０では、番組情報（番組基本情報、及び取得されていれば番組詳細情報）を用いてメタ情報としてタグやＱＲコードを生成する（Ｓ８１０：メタ情報生成ステップ）。生成処理の詳細については後述する。
【００６１】
生成されたメタ情報は、メタ情報表示部１１０によりＴＶ１００の表示画面に表示されるか、若しくはメタ情報通知部１１２により携帯端末２００に送信される（Ｓ８１２：メタ情報開示ステップ）。メタ情報表示部１１０によりＴＶ１００の表示画面に表示されるとともに、メタ情報通知部１１２により携帯端末２００に送信されるようにしてもよい。
【００６２】
（タグの生成例）
次に、図８のＳ８１０のタグ(メタ情報)の生成処理例を、図９を参照しながら説明する。メタ情報生成部１０８は、最初に電子番組表にアクセスするためのアドレスを入力する（Ｓ９０２）
【００６３】
次に、メタ情報生成部１０８は、アドレスから「ｈｔｔｐ：／／」を除去し（Ｓ９０４）、アドレスから「ｗｗｗ．」等の接頭辞を除去し（Ｓ９０６）、更にアドレスから「．ｃｏｍ」や「．ｎｅｔ」や「．ｏｒｇ」等の接尾辞を除去する（Ｓ９０８）。次に、メタ情報生成部１０８は、「／」を「−」に変換し（Ｓ９１０）、「＃」を接頭辞としてハッシュタグを出力する（Ｓ９１２）。
【００６４】
例えば、ＴＶ番組に関する情報にアクセスするためのアドレスとして、「ｈｔｔｐ：／／ｗｗｗ．ＳＳＳｔｖ．ｃｏｍ／ｑｕｉｚ＿ｓｈｏｗ」が入力された場合、上記処理の結果、「＃ＳＳＳｔｖ−ｑｕｉｚ＿ｓｈｏｗ」がタグとして出力される。タグの「＃ＳＳＳｔｖ」部分でテレビ局が特定され、「ｑｕｉｚ＿ｓｈｏｗ」部分でＴＶ番組名が特定される。このようにして、ＴＶ番組を、例えば一意に特定できるタグを生成することができる。上記アドレスの一例であるＵＲＬはグローバル的にユニークなデータであるため、番組の公式ページのＵＲＬからタグを生成しても、そのタグからコンテンツを一意に特定することができる。
【００６５】
（タグの表示例）
図１０に、生成されたタグ１０００の他の例である「＃ｏｌｙｍｐｉｃ２０１０」、及びタグ１０００をコード化したＱＲコード１０１０をＴＶ１００の画面に表示した例を挙げる。ユーザは、タグ１０００から視覚的に番組情報（ここでは、オリンピック番組であること）を読み取ることできる。また、ユーザは、携帯端末２００のカメラ機能を用いてＱＲコード１０１０を取り込むことにより番組情報を認識することができる。ユーザは、タグ１０００を、ネットワーク４００を介して受信することにより番組情報を認識することもできる。
【００６６】
無線通信不可能な場合には、タグ１０００及びＱＲコード１０１０は、ＴＶ１００の画面に表示されるのみであるが、無線通信可能な場合には、タグ１０００及びＱＲコード１０１０を携帯端末２００に送信することにより、表示を省略することができる。もちろん、タグ１０００やＱＲコード１０１０を画面に表示するとともに携帯端末２００に送信してもよい。タグ１０００及びＱＲコード１０１０は、少なくともいずれか一方が表示又は送信される必要がある。
【００６７】
（タグの配信例）
次に、無線通信可能な場合において図８のＳ８１２のタグ(メタ情報)の配信例を、図１１を参照しながら説明する。まず、携帯端末２００は、通信用アドレスをＴＶ１００に登録しておく（Ｓ１１０２）。ＴＶ１００でＴＶ番組の放送を開始する（Ｓ１１０４）。メタ情報通知部１１２は、メタ情報を携帯端末２００に配信するように通信部１０２に指示する（Ｓ１１０６）。配信は、１つの携帯端末２００に対するユニキャストでもよく、複数の携帯端末２００に対するブロードキャストでもよい。
【００６８】
メタ情報通知部１１２は、ＴＶ番組が終了したかを判定し（Ｓ１１０８）、終了していればそのまま本処理を終え、終了していなければ、一定時間経過後（Ｓ１１１０）、再びメタ情報を配信する（Ｓ１１０６）。以上のようにして、ＴＶ１００の放送を視聴している間（チャンネルを合わせている間）、例えば、１分おきにメタ情報（タグ）を配信する処理（Ｓ１１０６〜Ｓ１１１０）を繰り返す。
【００６９】
［携帯端末の動作］
次に、携帯端末２００の動作の詳細について、図１２のフローチャートを参照しながら説明する。携帯端末２００は、ＴＶ１００から提供されたメタ情報（タグ）を利用してコメントを投稿する。携帯端末２００は、サーバ装置３００にコメントを投稿することにより、コメントを投稿したユーザが「あるＴＶ番組が画面に表示されているだけでなく、実際に視聴している」という行動データをサーバ装置側に伝えることができ、サーバ装置３側でより正確な視聴率集計を実現できる。
【００７０】
Ｓ１２０２に示したように、メタ情報取得部２０４は、ユーザの操作に応じて番組情報を入力するための手段をＳ１２０４〜Ｓ１２１０に示した入力方法のうちから選択する。メタ情報の取得方法は、ＴＶ１００の画面上から取得する方法、通信により取得する方法の大きく２種類に分けられる（メタ情報取得ステップ）。画面上に表示されたメタ情報は、カメラでＱＲコードを読むことにより取り込むか（Ｓ１２０４）、ＴＶ１００の画面上に表示されたタグから目視し（Ｓ１２０６）、それにより認識した文字や記号をキーボードやボタン等を用いて入力することにより取り込むか（Ｓ１２０８）のいずれかの方法が考えられる。通信を利用する場合は、ＴＶ１００から定期的に配信されるメタ情報が、通信部２０２により取得され、アプリケーションに自動登録されることになる（Ｓ１２１０）。
【００７１】
入力部２０６は、ユーザの指示に従い、視聴しているＴＶ番組に対するコメントを入力する（Ｓ１２１２：入力ステップ）。通信部２０２は、入力されたコメントと取得したメタ情報とを対にしてサーバ装置３００に送信する（Ｓ１２１４：コメント送信ステップ）。
【００７２】
（コメント及びタグの入力例）
図１３は、携帯端末２００の表示画面上でコメントにタグを付加する例を示す。上図に示したように、ユーザ（ｔａｒｏ）は、視聴しているオリンピック番組に対するコメント１３００を「この演技なら金メダルは間違いない」と入力する。中央図では、ユーザ（ｔａｒｏ）は、先に入力したコメント１３００に対して「＃ｏｌｙｍｐｉｃ２０１０」のタグを示したボタン１３０２を押す。その結果、下図に示したように、コメント１３００にタグ「＃ｏｌｙｍｐｉｃ２０１０」が付加される。このようにして、コメントにタグが付加された状態でサーバ装置３００にコメント及びタグが投稿されるため、コメント１３００「この演技なら金メダルは間違いない」が、タグ「＃ｏｌｙｍｐｉｃ２０１０」で示されるオリンピック番組のコメントであることを一意に特定できる。なお、更新ボタン１３０４は画面の更新に使用される。
【００７３】
ここで、コメントとタグとが紐付けられているため、ユーザは、コメントに対してＴＶ番組を特定するメタ情報（タグ）を入力する必要がない。よって、携帯端末２００は、ＴＶ１００にて予め生成されたタグを用いることができ、手間を掛けずにコメントの対象ＴＶ番組を一意に特定することができる。また、ユーザがそれぞれ別個にコメントに対してＴＶ番組を特定するメタ情報を入力すると、特定するＴＶ番組にユーザ間でブレが生じてしまいコメントとＴＶ番組とを一意に特定できない場合が生じるおそれがある。しかしながら、本実施形態では、ユーザは、ＴＶ番組を特定するメタ情報として、一律に生成されたタグを用いるため、特定するＴＶ番組にユーザ間でのブレは生じない。
【００７４】
［サーバ装置の動作］
次に、サーバ装置３００の動作の詳細について、図１４のフローチャートを参照しながら説明する。サーバ装置３００は、携帯端末２００から提供されたコメントを集計し、その集計結果に基づき実際の視聴率（アクティブ視聴率）の精度を向上させるとともに、ユーザ同士のコミュニケーションへの活用の仕組みを提供する。例えば、タグ毎にコメント数を集計し、過去の集計結果と比較して現在集計しているコメント数が急激に変化した場合にはユーザに通知する。
【００７５】
まず、集計部３０４は、通信部３０２により受信された、当該時間のサーバ装置内のコメントを収集する（Ｓ１４０２）。集計部３０４は、コメント数をタグ毎に分類して集計する（Ｓ１４０４：集計ステップ）。次に、集計されたタグ毎のコメント数と過去に集計された同じタグ毎のコメント数とを比較する（Ｓ１４０６）。比較の結果、急激にコメント数が変化したタグがあった場合には（Ｓ１４０８）、コメントとともにタグをＴＶ１００の表示画面に表示又はネットワーク４００を介して携帯端末２００に送信することにより、当該タグをユーザに通知する（Ｓ１４１０：集計結果通知ステップ）。急激にコメント数が変化したタグがなかった場合にはＳ１４１０をスキップする。
【００７６】
当該時間のサーバ装置内のタグ毎のコメント数を記憶し（Ｓ１４１２）、他に集計すべきコメントがあるかを判定して（Ｓ１４１４）、ない場合には処理を終了する。他に集計すべきコメントがある場合にはＳ１４０２に戻り、Ｓ１４０２〜Ｓ１４１４の処理を繰り返す。
【００７７】
図１５は、サーバ装置３００により集計された結果を格納したデータベース３１２の一例である。上述のように、サーバ装置３００は、コメントを受けると図１５のようにタグ毎に分類し、データベース３１２に格納する。データベース３１２には、番組タグ３１４、集計開始時間３１６、集計終了時間３１８、コメント数３２０が最低限格納されている。集計時間は任意の間隔でよく、例えば５分間隔等で行う。
【００７８】
図１６は、サーバ装置３００により集計された結果を格納したデータベース３１２の他の例である。データベース３１２には、ユーザＩＤ３２２、番組タグ３１４及びコメント３２４が最低限格納されている。
【００７９】
サーバ装置３００は、集計結果に基づき、視聴率を改善するとともに、コミュニケーションへの活用を促す。具体的には、上述したように、データベース内のコメント数をタグ毎に調べ、過去のタグ毎のコメント数と比較する。ここで、図１７に示したように、急激なコメント数の増加（もしくは減少）があれば、当該タグにより特定されるＴＶ番組をユーザに通知する。急激な増加を判断する基準としては、たとえば過去数回の移動平均（Ｍｏｖｉｎｇ  Ａｖｅｒａｇｅ）を計算し、コメント数が移動平均を大きく上回ったとき当該タグにより特定されるＴＶ番組をユーザに通知する。
【００８０】
（集計結果表示例）
図１８は、コメント数が急増した場合、ＴＶ１００の表示を通して、特定のＴＶ番組のコメント数が急増していることをユーザに通知している様子を示す。ユーザは、番組視聴中に「＃ｏｌｙｍｐｉｃ２０１０のコメントが急増しています！」の表示１０２０が出されると、その表示１０２０をクリックする。その結果、ＴＶ１００の表示内容（放送番組）がオリンピック番組に切り替わる。
【００８１】
上記のようなコメント数の増減に伴うお勧めする又はお勧めしないＴＶ番組に関する情報は、サーバ装置３００から配信され、携帯端末２００又はＴＶ１００の少なくともいずれかで受信される。なお、ここでは、コメント数によるレコメンデーション例を示したが、所定時間内にコメントを投稿したユーザ数や、所定時間内に投稿されたコメントの文字総数やこれらの組合せによる変化をユーザの関心の変化と捉え、ユーザへの通知に利用する変形例も考えられる。
【００８２】
以上に説明したように、本実施形態に係る情報提供システム１０によれば、視聴中の番組に関するメタ情報を、ユーザが簡単に、あるいは意識することなくアプリケーションで使えるようになる。ユーザからの情報発信（コメント投稿）では、コメントとともに番組情報を特定するメタ情報が送られてくるので、サーバ装置側でコメント投稿数を集計することにより、ユーザが能動的に番組を視聴していることがわかる正確な視聴率（アクティブ視聴率）も計算できるようになる。
【００８３】
これまでは、ユーザが視聴中のＴＶ番組を調査する方法として、特殊な装置を用いた視聴率測定が一般的だったため、能動的に番組を視聴しているユーザ数を把握することはできなかった。
【００８４】
視聴率を測定する集計する装置は従来から存在していたが、たまたまつけていた番組を実際には視聴していない場合においても、画面に表示されている事実だけで視聴率にカウントされてしまい、現実の状況から遊離する場合もあった。
【００８５】
例えば、特開２０１０−３４６７４号に開示された視聴率を集計する装置では、ＴＶ番組視聴中の検索状況により、ＴＶ番組視聴行動率が計算される。しかしながら、ＴＶ番組閲覧中に、キーワードによる検索を行わない場合、視聴行動率が計算できない。また、例えば、特開２００８−１９９３７３号に開示されたシステムでは、動画コンテンツをストリーミング視聴中にコンテンツサーバ装置から配信されたアクセス率を計算して視聴率を導き出すことにより、確度の高い視聴率を得ることができる。しかしながら、このシステムでは、視聴率を計算するために特別なコンテンツサーバ装置を用意する必要がある。
【００８６】
ウェブ上のサービスでは、ＴＶ番組の実況中継を書き込むサイトがある。これらに書き込まれた情報から、番組の視聴率を計算することもできるが、実況中継サービスという特定のサービスに依存してしまう。
【００８７】
これに対して、本実施形態によれば、特定の機器やサービスに依存することなく、特定の機器やサービスを利用しなくても、携帯端末２００からコメントを投稿することにより、コメントを投稿したユーザが「ある番組を視聴している」という行動データをサーバ装置３００に伝えることができ、サーバ装置３００でより正確な視聴率の集計を実現できる。また、正確な集計結果に基づき特定の番組の視聴率が急激に上昇したと判定された場合には、その特定番組を推薦する通知が、サーバ装置３００から携帯端末２００やＴＶ１００に送信されるため、ユーザは、流行の番組をいち早くリアルタイムで知ることができる。
【００８８】
（時間情報の付加）
なお、上記説明では、メタ情報（タグ又はＱＲコード）には、ＴＶ１００に表示されているコンテンツを特定するためのコンテンツ特定情報（番組情報）が含まれたが、メタ情報には、これに加えてコンテンツに関する時間情報が含まれていてもよい。例えば、メタ情報「＃ｏｌｙｍｐｉｃ２０１０％２０１００３２３  １９：００」は、コンテンツ特定情報「＃ｏｌｙｍｐｉｃ２０１０」と、コンテンツに関する時間情報「％２０１００３２３  １９：００」とを含むように生成されてもよい。これによれば、携帯端末側でも、どんな番組について何時何分ごろにコメントされたかがわかり、サーバ装置側でも、より細かい単位での視聴率を集計することができる。
【００８９】
上記実施形態において、各部の動作は互いに関連しており、互いの関連を考慮しながら、一連の動作及び一連の処理として置き換えることができる。これにより、コンテンツ表示端末（ＴＶ）、携帯端末及びサーバ装置にてそれぞれ実行される情報提供方法の実施形態を、情報提供システムの実施形態及びコンテンツ表示端末（ＴＶ）、携帯端末及びサーバ装置が有する機能をコンピュータに実現させるためのプログラムの実施形態とすることができる。
【００９０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９１】
例えば、コンテンツは、映像だけでなく音声も含まれる。よって、本発明は、例えば、ラジオを聴いていてラジオ番組のコメントにメタ情報をつける場合にも適用することができる。
【００９２】
さらに、コメント内容を解析する技術を用いれば、番組に対するポジティブ又はネガティブなコメント数も把握できるようになる。これまでも、ネット上のテレビ実況中継サービスのように、ＴＶ番組とユーザのコメントが結びつけられたサービスは存在したが、本発明は、特定の機器や特定のサービに依存することなく適用可能である。
【符号の説明】
【００９３】
１０                        情報提供システム
１００，１００ａ，１００ｂ  ＴＶ
１０２                      通信部
１０４                      基本情報取得部
１０６                      出力部
１０８                      メタ情報生成部
１１０                      メタ情報表示部
１１２                      メタ情報通知部
１１４                      制御部
２００，２００ａ，２００ｂ  携帯端末
２０２                      通信部
２０４                      メタ情報取得部
２０６                      入力部
２０８                      出力部
２１０                      制御部
３００                      サーバ装置
３０２                      通信部
３０４                      集計部
３０６                      比較部
３０８                      集計結果通知部
３１０                      制御部
３１２                      データベース
４００                      ネットワーク
１０００                    タグ
１０１０                    ＱＲコード
【図１】
2011234198.tif 000003
【図２】
2011234198.tif 000004
【図３】
2011234198.tif 000005
【図４】
2011234198.tif 000006
【図５】
2011234198.tif 000007
【図６】
2011234198.tif 000008
【図７】
2011234198.tif 000009
【図８】
2011234198.tif 000010
【図９】
2011234198.tif 000011
【図１０】
2011234198.tif 000012
【図１１】
2011234198.tif 000013
【図１２】
2011234198.tif 000014
【図１３】
2011234198.tif 000015
【図１４】
2011234198.tif 000016
【図１５】
2011234198.tif 000017
【図１６】
2011234198.tif 000018
【図１７】
2011234198.tif 000019
【図１８】
2011234198.tif 000020